(57)【要約】【課題】本発明は、極めて商品価値の高い画期的なポケット収納物落下防止具を提供することを目的とする。【解決手段】衣類のポケット１に収納した被収納物２の落下を防止するためのものであって、前記ポケット１の開口縁部１ａに係止する係止部３と、前記被収納物２に固着され前記係止部３と移動自在に連結される連結部４とから成るものである。【選択図】図２
2009011364.tif 000002
【特許請求の範囲】
【請求項１】
衣類のポケットに収納した被収納物の落下を防止するためのものであって、前記ポケットの開口縁部に係止する係止部と、前記被収納物に固着され前記係止部と移動自在に連結される連結部とから成ることを特徴とするポケット収納物落下防止具。
【請求項２】
請求項１記載のポケット収納物落下防止具において、前記係止部と前記連結部とはスライド部を介して連結されていることを特徴とするポケット収納物落下防止具。
【請求項３】
請求項２記載のポケット収納物落下防止具において、前記スライド部は前記係止部に設けられていることを特徴とするポケット収納物落下防止具。
【請求項４】
請求項１〜３いずれか１項に記載のポケット収納物落下防止具において、前記係止部に対して前記連結部を移動させ任意の位置で該連結部の移動を阻止する移動阻止機構が設けられていることを特徴とするポケット収納物落下防止具。
【請求項５】
請求項１〜４いずれか１項に記載のポケット収納物落下防止具において、前記連結部は適宜な付着手段を介して前記被収納物に設けられていることを特徴とするポケット収納物落下防止具。
【発明の詳細な説明】
【技術分野】
【０００１】
本発明は、衣類のポケットに収納した被収納物の落下を防止するポケット収納物落下防止具に関するものである。
【背景技術】
【０００２】
シャツのポケット51に収納した被収納物52（例えば携帯電話）を、例えば前方へかがんだ際に不意にポケット51から落としてしまう場合がある。
【０００３】
そこで、従来においてもポケット51に収納した携帯電話52を不意に落としてしまうのを防止すべく、例えば実用新案登録第３１０５８７５号に開示されるポケット収納物落下防止具（以下、従来例）が提案されている。
【０００４】
この従来例は、図６に図示したように携帯電話に設けられる挟み込み弾性を有するフック53で構成されており、ポケット51に携帯電話52を収納する際、ポケット51の開口縁部51ａにフック53を挟み込み状態で係止するものである。これによれば、前述したような携帯電話52の落下を防止することができ、しかも、嵩張らない構造の為、携帯電話52の使用時に邪魔にならないとされる（携帯電話に付設されるストラップの先端に挟持構造体を設けたタイプも提案されているが、携帯電話の使用時に挟持構造体がぶらぶらして邪魔と感じるユーザーが多い。）。
【０００５】
【特許文献１】実用新案登録第３１０５８７５号公報
【発明の開示】
【発明が解決しようとする課題】
【０００６】
ところが、従来例は、実際に携帯電話52をポケット51に収納して開口縁部51ａにフック53を係止した際、ポケット51の底部51ｂに携帯電話52の下端部が着かず浮いた状態となる場合が多く、よって、携帯電話52の重みがポケット51の開口縁部51ａのみにかかり該開口縁部51ａが垂れ下がった状態となってしまい（型崩れしてしまい）非常に体裁が悪く、しかも、ポケット51内で携帯電話52が揺動したり、ポケット51が前方に引っ張られるなど（図６の状態）、不快感を感じてしまう。
【０００７】
本発明者は、前述した問題点に着目し、種々の実験・研究を繰り返し行った結果、極めて商品価値の高い画期的なポケット収納物落下防止具を開発した。
【課題を解決するための手段】
【０００８】
添付図面を参照して本発明の要旨を説明する。
【０００９】
衣類のポケット１に収納した被収納物２の落下を防止するためのものであって、前記ポケット１の開口縁部１ａに係止する係止部３と、前記被収納物２に固着され前記係止部３と移動自在に連結される連結部４とから成ることを特徴とするポケット収納物落下防止具に係るものである。
【００１０】
また、請求項１記載のポケット収納物落下防止具において、前記係止部３と前記連結部４とはスライド部６を介して連結されていることを特徴とするポケット収納物落下防止具に係るものである。
【００１１】
また、請求項２記載のポケット収納物落下防止具において、前記スライド部６は前記係止部３に設けられていることを特徴とするポケット収納物落下防止具に係るものである。
【００１２】
また、請求項１〜３いずれか１項に記載のポケット収納物落下防止具において、前記係止部３に対して前記連結部４を移動させ任意の位置で該連結部４の移動を阻止する移動阻止機構Ｓが設けられていることを特徴とするポケット収納物落下防止具に係るものである。
【００１３】
また、請求項１〜４いずれか１項に記載のポケット収納物落下防止具において、前記連結部４は適宜な付着手段８を介して前記被収納物２に設けられていることを特徴とするポケット収納物落下防止具に係るものである。
【発明の効果】
【００１４】
本発明は上述のように構成したから、ポケットに収納した被収納物の落下を防止することができ、しかも、前述した従来例と異なり、ポケットに収納した際の体裁が良く、また、不快感を感じさせない収納状態が得られるなど極めて商品価値の高い画期的なポケット収納物落下防止具となる。
【発明を実施するための最良の形態】
【００１５】
好適と考える本発明の実施形態を、図面に基づいて簡単に説明する。
【００１６】
ポケット１に被収納物２を収納する際、ポケット１の開口縁部１ａに係止部３を係止する。この際、ポケット１の底部１ｂに被収納物２の下端部が着かず浮いた状態である場合、係止部３に対して連結部４を移動させると、ポケット１の底部１ｂに被収納物２の下端部が着くように調節することができる。この調節した状態を維持すれば次回にポケット１に被収納物２を収納するときには、ポケット１の開口縁部１ａに係止部３を係止するだけでポケット１の底部１ｂに被収納物２の下端部が着いて常に良好な収納状態が得られることになる。尚、サイズの異なるポケット１に収納する場合には、係止部３に対して連結部４を移動させて適宜調節すれば良い。
【００１７】
従って、前述した従来例のようにポケット１に収納した被収納物２の重みが開口縁部１ａのみにかかる場合と異なり、ポケット１に収納した被収納物２の重みをポケット１の底部１ｂで受ける構造であるから、ポケット１に収納した際に型崩れせず体裁が良く、不快感を感じさせない良好な収納状態が得られることになる。
【実施例】
【００１８】
本発明の具体的な一実施例について図面に基づいて説明する。
【００１９】
本実施例は、衣類のポケット１に収納した被収納物２の落下を防止するためのものである。尚、本実施例では、被収納物２として折り畳みタイプの携帯電話２を採用しているが、本実施例の特性を発揮するものであれば適宜採用し得るものである。
【００２０】
具体的には、ポケット１の開口縁部１ａに係止する係止部３と、前記被収納物２に固着され前記係止部３と移動自在に連結される連結部４とで構成されている。
【００２１】
係止部３は、図１，２に図示したように適宜な合成樹脂製の基板体９の外面に挟持体10を一体成形するとともに、この挟持体10の挟持面10ａと対向する前記基板体９の外面所定位置に挟持面９ａを設けて構成されている。
【００２２】
挟持体10は、基板体９の外面上方位置から下方へ向けて傾斜突出状態に設けられており、この挟持体10には、挟持面10ａが基板体９の挟持面９ａに対して所定間隔を保持するように開放付勢力が具備せしめられている。符号９ａ’，10ａ’は係止突起である。
【００２３】
また、挟持体10は、後述する閉塞操作体11の閉塞操作により基板体９の挟持面９ａに当接して前記挟持面10ａと挟持面９ａとの間隔が閉塞されるように構成されている。
【００２４】
閉塞操作体11は、図１，２に図示したように適宜な合成樹脂製で形成された板状体であり、この閉塞操作体11を基板体９の外面に起伏回動自在に設けられており、この閉塞操作体11の基端部には該閉塞操作体11を伏し状態とした際、挟持体10の基端部近傍を押圧し、該挟持体10の挟持面10ａを基板体９の挟持面９ａに当接させる押圧部11ａが設けられている。
【００２５】
閉塞操作体11を伏し状態から起こし方向へ回動させ前記押圧部11ａによる押圧が解除された位置を境界として、挟持体10の弾性作用により挟持面10ａは挟持面９ａから離反するように構成されている。
【００２６】
また、閉塞操作体11と挟持体10との間には板バネ12が配されており、この板バネ12は、閉塞操作体11を伏し状態とした際、挟持体10を該挟持体10の挟持面10ａを基板体９の挟持面９ａに当接させる方向に付勢するように構成されている。
【００２７】
また、閉塞操作体11の先端部11ｂは外方に反った折り曲げ形状に形成されており、これは閉塞操作体11を摘み易くして操作性を向上する為の構成である。
【００２８】
また、基板体９には、後述する連結部４に設けられるガイド部７（レール部）をスライド移動するスライド部６が設けられている。
【００２９】
このスライド部６には、図３に図示したように基板体９の内面にガイド部７に被嵌される被嵌凹部９ｂが設けられている。
【００３０】
また、基板体９には、ガイド部７に対するスライド部６のスライドを阻止する移動阻止機構Ｓを構成する係止体13が設けられている。
【００３１】
この係止体13は、図１，４，５に図示したように基板体９の巾方向に移動自在に設けられ、この係止体13の内面にして前後左右位置の四箇所には、被嵌凹部９ｂ内に配されるガイド部７の係止突部７ａに係止する係止突部13ａが四つ設けられ、この係止突部７ａ，13ａ同士が係止することでガイド部７に対するスライド部６のスライドが阻止されるように構成されている。
【００３２】
また、この移動阻止機構Ｓにおける移動阻止状態の解除は、戻り付勢体14の戻り付勢に抗して係止体13を移動させることで行えることになり、この解除した状態のままガイド部７に対してスライド部６を任意の位置までスライド移動させることができる。
【００３３】
連結部４は、図１に図示したように適宜な合成樹脂製の部材で形成した板状体であり、連結部４の内面（被収納物２と当接する面）には、被収納物２に対する適宜な付着手段８としての両面テープ８が付設されている。尚、付着手段８としては吸盤でも良いなど、本実施例の特性を発揮するものであれば適宜作用し得るものである。
【００３４】
また、連結部４にはガイド部７が設けられている。
【００３５】
このガイド部７は、図３に図示したように連結部４の外面（前記基板体９と対応する面）に巾細部７ｂを介して連設される細長板状体であり、前記被嵌凹部９ａに嵌挿し得るように構成されている。従って、被嵌凹部９ａは該被嵌凹部９ａの左右端部を巾細部７ｂに配した状態でガイド部７に抜け止め状態に被嵌される。
【００３６】
また、ガイド部７の外面両側には係止突部７ａが所定間隔を介して並設されており、この隣接する係止突部７ａの間に前述した係止体13の係止突部13ａが位置して係止することでガイド部７に対するスライド部６のスライドを阻止し得るように構成されている。尚、この係止突部７の外面中央には凹溝７ｃが設けられ、係止体13を基板体９の巾方向に移動させ係止突部７ａに対して係止突部13ａの係止を解除してスライド部６をスライドさせた際、一側２つの係止突部13ａは係止突部７ａの外側を移動するとともに、他側２つの係止突部13ａは前記凹溝７ｃ内を移動することになる（図５参照）。
【００３７】
以上の構成からなるポケット収納物落下防止具の使用方法について説明する。
【００３８】
図２中(ａ)，(ｂ)に図示したようにポケット１に携帯電話２を収納する際、ポケット１の開口縁部１ａに係止部３を係止する。閉塞操作体11を伏し状態とすることで挟持体10の挟持面10ａと基板体９の挟持面９ａとでポケット１の開口縁部１ａを挟持する。
【００３９】
続いて、図２中(ｂ)に図示したようにポケット１の底部１ｂに携帯電話２の下端部が着かず浮いた状態である場合、図２中(ｃ)に図示したように係止体13を基板体９の巾方向に移動させることで移動阻止機構Ｓにおける移動阻止状態を解除し、係止部３に対して携帯電話２を移動させ、ポケット１の底部１ｂに携帯電話２の下端部が着くように調節する。
【００４０】
本実施例は上述のように構成したから、前述した従来例のようにポケット１に収納した携帯電話２の重みが開口縁部１ａのみにかかる場合と異なり、ポケット１に収納した携帯電話２の重みをポケット１の底部１ｂで受ける構造であるから、ポケット１に収納した際に型崩れせず体裁が良く、不快感を感じさせない良好な収納状態が得られることになる。
【００４１】
また、本実施例は、前記係止部３と前記連結部４とはスライド部６を介して連結されているから、係止部３に対して連結部４を確実に移動させてポケット１の底部１ｂに携帯電話２の下端部が着くように調節することができる。
【００４２】
また、本実施例は、前記係止部３に対して前記連結部４を移動させ任意の位置で該連結部４の移動を阻止する移動阻止機構Ｓが設けられているから、一度調節した状態を維持すれば次回にポケット１に携帯電話２を収納するときには、ポケット１の開口縁部１ａに係止部３を係止するだけでポケット１の底部１ｂに携帯電話２の下端部が着いて常に良好な収納状態が得られることになる。
【００４３】
また、本実施例は、連結部４は適宜な付着手段８を介して携帯電話２に設けられるから、既存の携帯電話２にも前述した秀れた機能を簡易且つ確実に具備せしめることができる。
【００４４】
尚、本発明は、本実施例に限られるものではなく、各構成要件の具体的構成は適宜設計し得るものである。
【図面の簡単な説明】
【００４５】
【図１】本実施例を示す斜視図である。
【図２】本実施例の使用状態説明図である。
【図３】本実施例に係る要部の説明断面図である。
【図４】本実施例に係る要部の動作説明図である。
【図５】本実施例に係る要部の動作説明図である。
【図６】従来例の使用状態説明図である。
【符号の説明】
【００４６】
Ｓ  移動阻止機構
１  ポケット
１ａ  開口縁部
２  被収納物
３  係止部
４  連結部
６  スライド部
８  付着手段
【図１】
2009011364.tif 000003
【図２】
2009011364.tif 000004
【図３】
2009011364.tif 000005
【図４】
2009011364.tif 000006
【図５】
2009011364.tif 000007
【図６】
2009011364.tif 000008